(57)【要約】【課題】  鍵の管理やパスワードの記憶を不要にしつつ、ワイヤレス接続機器の不用意な操作に起因した不測の事態の発生を阻止する。【解決手段】  実施形態に係る移動型Ｘ線撮影装置は、各手段を具備する。前記第１受付手段は、ユーザの認証情報を含む起動指示の入力を、前記ユーザによる当該認証情報の入力操作無しで受け付ける。前記第１認証手段は、前記起動指示内の認証情報と前記第１記憶手段内の参照情報とを照合することにより、ユーザ認証を実行する。前記起動手段は、前記ユーザ認証が成功したとき、装置本体を起動する。前記第１受信手段は、ユーザ認証を実行したワイヤレス接続機器から機器識別情報を含むペアリング指示を受信する。前記ペアリング実行手段は、前記ペアリング指示内の機器識別情報を前記第２記憶手段に書き込む。【選択図】図１
2018099444.tif 000002
【特許請求の範囲】
【請求項１】
ユーザ毎に、ユーザ識別情報と、当該ユーザの認証情報からなる参照情報とを関連付けて記憶する第１記憶手段と、
ユーザの認証情報を含む起動指示の入力を、当該ユーザによる当該認証情報の入力操作無しで受け付ける第１受付手段と、
前記起動指示内の認証情報と前記第１記憶手段内の参照情報とを照合することにより、ユーザ認証を実行する第１認証手段と、
前記ユーザ認証が成功したとき、装置本体を起動する起動手段と、
前記装置本体の起動後からＸ線撮影を開始するまでの間に、前記装置本体にワイヤレス接続された１台のワイヤレス接続機器の機器識別情報が書き込まれる第２記憶手段と、
ユーザ認証を実行したワイヤレス接続機器から機器識別情報を含むペアリング指示を受信する第１受信手段と、
前記ペアリング指示内の機器識別情報を前記第２記憶手段に書き込むペアリング実行手段と
を具備することを特徴とする移動型Ｘ線撮影装置。
【請求項２】
前記認証情報は生体情報であり、
前記ユーザ認証は生体認証である、請求項１に記載の移動型Ｘ線撮影装置。
【請求項３】
前記ユーザ認証が成功したとき、このユーザ認証に用いた参照情報を示すグループ情報を前記第１記憶手段に書き込む第１登録手段と、
ユーザ認証を実行した前記ワイヤレス接続機器から機器識別情報と、当該ユーザ認証に用いた参照情報に関連するユーザ識別情報とを含むコマンドを受信する第２受信手段と、
前記コマンド内のユーザ識別情報と、前記第１記憶手段内の前記グループ情報が示す参照情報に関連するユーザ識別情報とが一致するか否かを判定する第１判定手段と、
前記コマンド内の機器識別情報が前記第２記憶手段内の機器識別情報に一致するか否かを判定する第２判定手段と、
前記第１判定手段及び前記第２判定手段の判定結果がそれぞれ一致を示す場合に、前記コマンドの実行を許可する許可手段と、
を備えた請求項１又は請求項２に記載の移動型Ｘ線撮影装置。
【請求項４】
ユーザの認証情報を含むグループ登録指示の入力を受け付ける第２受付手段と、
前記グループ登録指示内の認証情報と前記第１記憶手段内の参照情報とを照合することにより、ユーザ認証を実行する第２認証手段と、
前記第２認証手段によるユーザ認証が成功したとき、このユーザ認証に用いた参照情報を示すグループ情報を前記第１記憶手段に書き込む第２登録手段と、
ユーザ認証を実行した前記ワイヤレス接続機器から当該ユーザ認証に用いた参照情報に関連するユーザ識別情報を含むグループ登録指示を受信する第３受信手段と、
前記受信されたグループ登録指示内のユーザ識別情報に基づいて、当該ユーザ識別情報に関連する参照情報を示すグループ情報を前記第１記憶手段に書き込む第３登録手段と、
を備えた請求項１又は請求項２に記載の移動型Ｘ線撮影装置。
【請求項５】
前記ペアリング指示は、前記ユーザ認証を実行したワイヤレス接続機器の機器種別及び機器識別情報を含んでおり、
前記ペアリング実行手段は、前記ペアリング指示内の機器種別に基づいて、前記ペアリング指示内の機器識別情報を前記第２記憶手段に書き込む手段であり、
前記第２記憶手段は、前記装置本体に通信可能なワイヤレス接続機器の機器種別毎に、前記ペアリング実行手段により書き込まれた機器識別情報を記憶する、
請求項１又は請求項２に記載の移動型Ｘ線撮影装置。
【請求項６】
前記機器種別はＸ線検出器を示す情報である、請求項５に記載の移動型Ｘ線撮影装置。
【請求項７】
前記機器種別はハンドスイッチを示す情報である、請求項５に記載の移動型Ｘ線撮影装置。
【発明の詳細な説明】
【技術分野】
【０００１】
本発明の実施形態は、移動型Ｘ線撮影装置に関する。
【背景技術】
【０００２】
従来、移動型回診用Ｘ線装置などの移動型Ｘ線撮影装置は、ユーザによる物理的な鍵の操作又はパスワードの入力により起動され、ユーザの操作に応じて被検体の所まで移動する。ユーザは、例えば、無線通信可能な可搬型のＸ線検出器を被検体と寝台との間に配置した後、無線通信可能なハンドスイッチを操作する。
【０００３】
移動型Ｘ線撮影装置は、ハンドスイッチからの無線信号に基づき、Ｘ線を照射する。Ｘ線検出器は、被検体を透過したＸ線を検出し、検出結果を移動型Ｘ線撮影装置に無線で出力する。移動型Ｘ線撮影装置は、Ｘ線検出器の出力に基づいて被検体のＸ線画像を生成して保存する。
【先行技術文献】
【特許文献】
【０００４】
【特許文献１】特開２０１５−０５８３４１号公報
【発明の概要】
【発明が解決しようとする課題】
【０００５】
以上のような移動型Ｘ線撮影装置は、通常は特に問題ないが、本発明者の検討によれば、以下の点で改善の余地がある。例えば、前述した起動方法では、鍵の盗難又はパスワードの漏洩により、権限のない第三者でも装置本体を起動させて移動でき、ハンドスイッチを用いてＸ線を照射可能となってしまう。また、鍵の盗難やパスワードの漏洩を防ぐ観点からは、鍵を厳重に管理する必要や、長くて複雑なパスワードを記憶する必要がある。なお、起動に生体認証を用いる場合には、鍵の管理やパスワードの記憶は不要になる。
【０００６】
しかしながら、この場合でも、ハンドスイッチやＸ線検出器などのワイヤレス接続機器を用いることから、移動型Ｘ線撮影装置に接続されている機器がＸ線撮影時まで不明である。このため、例えば、ワイヤレス接続機器を不用意に操作することにより、不測の事態を生じさせる可能性がある。具体的には、接続状態のハンドスイッチを不用意に操作することにより、Ｘ線を誤照射してしまう可能性がある。あるいは、未接続状態のＸ線検出器を不用意に配置してＸ線を照射し、その後にＸ線撮影をやり直すことにより、最初の照射分に対応する不要被曝を生じさせる可能性がある。
【０００７】
目的は、鍵の管理やパスワードの記憶を不要にしつつ、ワイヤレス接続機器の不用意な操作に起因した不測の事態の発生を阻止し得る移動型Ｘ線撮影装置を提供することである。
【課題を解決するための手段】
【０００８】
実施形態に係る移動型Ｘ線撮影装置は、第１記憶手段、第１受付手段、第１認証手段、起動手段、第２記憶手段、第１受信手段及びペアリング実行手段を具備する。
【０００９】
前記第１記憶手段は、ユーザ毎に、ユーザ識別情報と、当該ユーザの認証情報からなる参照情報とを関連付けて記憶する。
【００１０】
前記第１受付手段は、ユーザの認証情報を含む起動指示の入力を、当該ユーザによる当該認証情報の入力操作無しで受け付ける。
【００１１】
前記第１認証手段は、前記起動指示内の認証情報と前記第１記憶手段内の参照情報とを照合することにより、ユーザ認証を実行する。
【００１２】
前記起動手段は、前記ユーザ認証が成功したとき、装置本体を起動する。
【００１３】
前記第２記憶手段は、前記装置本体の起動後からＸ線撮影を開始するまでの間に、前記装置本体にワイヤレス接続された１台のワイヤレス接続機器の機器識別情報が書き込まれる。
【００１４】
前記第１受信手段は、ユーザ認証を実行したワイヤレス接続機器から機器識別情報を含むペアリング指示を受信する。
【００１５】
前記ペアリング実行手段は、前記ペアリング指示内の機器識別情報を前記第２記憶手段に書き込む。
【図面の簡単な説明】
【００１６】
【図１】図１は、一実施形態に係る移動型Ｘ線撮影装置の構成を示す模式図である。
【図２】図２は、同実施形態における移動型Ｘ線撮影装置内のユーザリストを説明するための模式図である。
【図３】図３は、同実施形態におけるグループ情報の変形例を説明するための模式図である。
【図４】図４は、同実施形態におけるペアリングテーブルを説明するための模式図である。
【図５】図５は、同実施形態におけるハンドスイッチの構成を示す模式図である。
【図６】図６は、同実施形態におけるワイヤレス接続機器内のユーザリストを説明するための模式図である。
【図７】図７は、同実施形態におけるＸ線検出器の構成を示す模式図である。
【図８】図８は、同実施形態における動作を説明するためのフローチャートである。
【図９】図９は、同実施形態における起動動作を説明するためのフローチャートである。
【図１０】図１０は、同実施形態におけるペアリング実行動作を説明するためのフローチャートである。
【図１１】図１１は、同実施形態におけるグループ登録動作を説明するためのフローチャートである。
【図１２】図１２は、同実施形態におけるコマンドのチェック動作を説明するためのフローチャートである。
【図１３】図１３は、同実施形態の変形例における移動型Ｘ線撮影装置内のユーザリストを説明するための模式図である。
【図１４】図１４は、同変形例における起動動作を説明するためのフローチャートである。
【発明を実施するための形態】
【００１７】
以下、図面を参照しながら一実施形態に係る移動型Ｘ線撮影装置を説明する。  
図１は、一実施形態に係る移動型Ｘ線撮影装置の構成を示す模式図であり、図２乃至図４は、記憶回路に記憶されるユーザリスト及びペアリングテーブルを説明するための模式図である。この移動型Ｘ線撮影装置１は、装置本体がハンドスイッチ２０及びＸ線検出器３０といったワイヤレス接続機器に無線通信可能となっており、Ｘ線管２、Ｘ線絞り３、支持アーム４、支柱５、筐体６、前輪７及び後輪８を有する。
【００１８】
Ｘ線管２は、筐体６内に設けられた高電圧発生回路１１から供給された管電流と、印加された管電圧とに基づいて、Ｘ線の焦点（管球焦点）から、Ｘ線を発生する。管球焦点で発生されたＸ線は、Ｘ線絞り３によって制限された照射範囲に向けて放射される。Ｘ線管２は、例えば、支持アーム４の先端に設けられる。Ｘ線管２は、支持アーム４と支柱５とに設けられた高電圧ケーブルを介して、筐体６内の高電圧発生回路１１に接続される。
【００１９】
Ｘ線絞り３は、ユーザによる操作に従って、Ｘ線の照射範囲を限定する。具体的には、Ｘ線絞り３は、管球焦点で発生されたＸ線を、ユーザが所望する撮影部位以外に不要な被爆をさせないために、最大口径の照射範囲を、被検体Ｐの体表面にＸ線を照射する照射面積に応じて限定する。例えば、Ｘ線絞り３は、入力インタフェース回路１４により入力された照射範囲の限定指示に従って、制御回路１６による制御のもとで絞り羽根を移動させることにより、照射範囲を限定する。
【００２０】
なお、Ｘ線絞り３は、被検体Ｐへの被曝線量の低減および画質の向上を目的として、Ｘ線の照射野に挿入される複数の所定のフィルタ（以下、線質調整フィルタと呼ぶ）を有していてもよい。複数の線質調整フィルタは、それぞれ異なる厚みを有する。なお、線質調整フィルタは、それぞれ異なる材質により構成され、同じ厚みを有していてもよい。線質調整フィルタは、管球焦点で発生されたＸ線の線質を厚みに応じて変更する。線質調整フィルタは、例えば、アルミニウム、銅などにより構成される。
【００２１】
支持アーム４は、支持アーム４の両端のうち一端（先端）に、Ｘ線管２を回転可能に支持する。支持アーム４の両端のうち他端は、筐体６に設けられた支柱５の一部分に接続される。
【００２２】
支柱５は、筐体６の一部分に鉛直方向に直立して支持される。なお、筐体６による支柱５の支持は、直立に限定されず、傾いていてもよい。支柱５は、支持アーム４を略上下方向に移動可能に支持する。なお、支柱５は、ユーザの操作により、支柱５の長軸を回転軸として、回転可能であってもよい。
【００２３】
筐体６は、高電圧発生回路１１、記憶回路１２、処理回路１３、入力インタフェース回路１４、通信インタフェース回路１５、制御回路１６、表示回路１７及び図示しないカウンタウェイトを有している。図１中、「Ｉ／Ｆ」は、「インタフェース」の略語である。カウンタウェイトは、移動型Ｘ線撮影装置１の重量的なバランスを保つために、筐体６内に設けられる。また、筐体６は、前輪７及び後輪８により、ユーザの所望の方向に移動可能となっている。
【００２４】
高電圧発生回路１１は、管電流、管電圧、撮影時間等を制御するための各種制御回路と、高電圧変圧器と、高電圧整流器と、フィラメント変圧器などとを有する。高電圧発生回路１１は、Ｘ線管２に供給する管電流と、Ｘ線管２に印加する管電圧とを発生する。具体的には、高電圧発生回路１１は、制御回路１６による制御のもとで、Ｘ線照射条件に従って、Ｘ線撮影に適した管電流をＸ線管に供給し、Ｘ線撮影に適した管電圧をＸ線管２に印加する。Ｘ線照射条件とは、例えば、管電流、管電圧、照射時間、管電流（ｍＡ）と照射時間（ｓ）との積（以下、管電流時間積（ｍＡｓ）と呼ぶ）などである。
【００２５】
記憶回路１２は、本移動型Ｘ線撮影装置１の各種制御プログラム、認証プログラム、ユーザリストＬＳ、ペアリングテーブルＰＲ、入力インタフェース回路１４から入力されたユーザの指示、Ｘ線撮影に関する撮影条件などの各種データ群などを記憶する。記憶回路１２は、各種メモリ、ＨＤＤ（ハードディスクドライブ）、ＳＳＤ（ソリッドステートドライブ）等の大容量記憶デバイスなどにより構成される。
【００２６】
ここで、ユーザリストＬＳは、図２に示すように、ユーザ毎に、グループ情報と、ユーザ識別情報と、当該ユーザの認証情報からなる参照情報とが関連付けられて記述されている。但し、グループ情報は必須ではなく、省略してもよい。ここで、認証情報としては、バーコード情報又は生体情報というように読み取り可能な情報が適宜、使用可能となっている。補足すると、認証情報としては、パスワード認証時のパスワードと、パターンロック認証時のパターン描画情報というように、入力操作が必要な秘密情報を使用しない。ここでいう秘密情報（認証情報）の入力操作は、パスワードを構成する複数の文字コードを順次入力する操作や、パターン描画を入力するための複数の線を順次入力する操作のように、秘密情報を構成する構成要素毎に当該秘密情報を入力する操作を意味する。すなわち、認証情報として使用可能なバーコード情報及び生体情報は、いずれも一括して読み取り可能であるから、前述した「入力操作が必要な秘密情報」に該当しない。なお、バーコード情報は、例えば、ユーザのＩＤカード等から光学的に読み取り可能な情報であればよい。ここで、ＩＤカードは、当該ユーザが常に携帯するため、従来の物理的な鍵とは異なり、厳重に管理する仕組みを新たに設ける必要が無い。認証情報がバーコード情報の場合、入力インタフェース回路１４は、バーコード情報を読み取るためのバーコードリーダ又はカメラを含んでいる。なお、本実施形態及びその変形例では、認証情報が生体情報である場合を代表例に挙げて述べる。
【００２７】
グループ情報は、例えば、グループ登録済か否かを示すフラグであり、グループ登録済みで値“１”が立てられ、電源オフによって値“０”にリセットされる。なお、グループ情報は、フラグに限らず、例えば図３に示すように、ユーザリストＬＳのユーザのうち、グループ登録されたユーザ毎に、ユーザ識別情報及び参照情報を関連付けて記述したリストとしてもよい。
【００２８】
ユーザ識別情報は、ユーザを識別する情報であり、例えば、名前や従業員番号などが適宜、使用可能となっている。
【００２９】
参照情報は、ユーザ認証用に予め登録したユーザの認証情報である。認証情報が生体情報の場合、参照情報は、テンプレートデータとも呼ばれる。例えば、参照情報は、登録時に取得されたユーザの測定値を表すデータセットであり、生体認証装置によって、生体認証時に新たに取得されたユーザの生体情報と照合される。なお、本実施形態及びその変形例では、ユーザ認証が生体認証である場合を代表例に挙げて述べる。
【００３０】
ペアリングテーブルＰＲは、図３に示すように、装置本体の起動後からＸ線撮影を開始するまでの間に、装置本体にワイヤレス接続された１台のワイヤレス接続機器の機器識別情報が書き込まれるテーブルである。図３に示す例では、ペアリングテーブルＰＲは、装置本体に通信可能なワイヤレス接続機器の機器種別毎に、処理回路１３により書き込まれた機器識別情報を記憶する。但し、ペアリングテーブルＰＲ内の機器種別は、任意の付加的事項であり、省略してもよい。ここで、機器種別としては、無線通信可能な機器の種類を示す情報であり、例えば、ハンドスイッチを示す情報、及びＸ線検出器を示す情報が適宜、使用可能となっている。なお、複数の同一種別がある場合、機器識別情報に関連付けて接続フラグを書き込む構成としてもよい。接続フラグは、ペアリング登録された機器が移動型Ｘ線撮影装置と接続状態にあるか否かを示すフラグであり、接続状態にある場合に値“１”が立てられ、接続状態にない場合に値“０”にリセットされる。接続状態としては、例えば、最後にペアリングを登録した機器又はペアリングの登録を更新した機器を接続フラグ“１”としてもよい。
【００３１】
機器識別情報は、機器種別を含む機器固有の情報であって、移動型Ｘ線撮影装置１に接続された機器を識別する情報である。この例では、ペアリングテーブルＰＲは、１台のハンドスイッチの機器識別情報と、１台のＸ線検出器の機器識別情報とが書き込み可能となっている。
【００３２】
処理回路１３は、図示しないプロセッサ及びメモリを備える。処理回路１３は、電源がオンされると、記憶回路１２から読み出した認証プログラム、ユーザリストＬＳ及びペアリングテーブルＰＲをメモリに一時的に記憶する。しかる後、処理回路１３は、メモリ内の認証プログラムをプロセッサが実行することにより、起動機能１３ａ、ペアリング機能１３ｂ、グループ登録機能１３ｃ及びコマンド確認機能１３ｄを実現する。なお、グループ登録機能１３ｃは省略してもよい。グループ登録機能１３ｃを省略した場合、コマンド確認機能１３ｄは、グループ情報を用いず、記憶回路１２を参照してコマンドを許可又は拒否する。
【００３３】
起動機能１３ａは、入力インタフェース回路１４から受けた起動指示内の認証情報と記憶回路１２内のユーザリストＬＳの参照情報とを照合することにより、ユーザ認証を実行する第１認証機能と、当該ユーザ認証が成功したとき、装置本体を起動する機能とを含んでいる。なお、起動機能１３ａは、ユーザ認証に加え、ユーザのＩＤカード等から光学的に読み取られたバーコードの情報と、ユーザリストＬＳに予め設定されたバーコードの情報とを照合するバーコード認証を実行してもよい。このバーコード認証は、起動指示に限らず、コマンド確認機能１３ｄによるコマンドの認証に用いてもよい。あるいは、起動機能１３ａは、バーコード認証を、ユーザ認証として実行してもよい。
【００３４】
ペアリング機能１３ｂは、通信インタフェース回路１５から受けたペアリング指示内の機器種別に基づいて、ペアリング指示内の機器識別情報を記憶回路１２内のペアリングテーブルＰＲに書き込むペアリング実行機能を含んでいる。なお、ペアリング指示が機器種別を含まない場合には、ペアリング機能１３ｂは、通信インタフェース回路１５から受けたペアリング指示内の機器識別情報を記憶回路１２内のペアリングテーブルＰＲに書き込むペアリング実行機能を含む。
【００３５】
グループ登録機能１３ｃは、起動機能１３ａによるユーザ認証が成功したとき、このユーザ認証に用いた参照情報を示すグループ情報を記憶回路１２に書き込む第１登録機能を含んでいる。また、グループ登録機能１３ｃは、入力インタフェース回路１４から受けたグループ登録指示内の認証情報と記憶回路１２内のユーザリストＬＳの参照情報とを照合することにより、ユーザ認証を実行する第２認証機能と、このユーザ認証が成功したとき、このユーザ認証に用いた参照情報を示すグループ情報を記憶回路１２に書き込む第２登録機能とを含んでもよい。また、グループ登録機能１３ｃは、通信インタフェース回路１５により受信されたグループ登録指示内のユーザ識別情報に基づいて、当該ユーザ識別情報に関連する参照情報を示すグループ情報を記憶回路１２に書き込む第３登録機能を含んでもよい。
【００３６】
コマンド確認機能１３ｄは、通信インタフェース回路１５から受けたコマンド内のユーザ識別情報と、記憶回路１２内のグループ情報が示す参照情報に関連するユーザ識別情報とが一致するか否かを判定する第１判定機能をもっている。また、コマンド確認機能１３ｄは、通信インタフェース回路１５から受けたコマンド内の機器識別情報が記憶回路１２内のペアリングテーブルＰＲの機器識別情報に一致するか否かを判定する第２判定機能をもっている。さらに、コマンド確認機能１３ｄは、第１判定機能及び第２判定機能の判定結果がそれぞれ一致を示す場合に、当該コマンドの実行を許可する許可機能をもっている。
【００３７】
入力インタフェース回路１４は、ユーザからの各種指示・命令・情報・選択・設定の入力を受け付ける。入力を受け付ける情報としては、ユーザの認証情報を含む各種指示（例、起動指示、グループ登録指示など）である場合と、それ以外の情報である場合とがある。ユーザの認証情報を含む各種指示は処理回路１３に送出される。入力インタフェース回路１４は、図示しないが、トラックボール、ユーザの入力操作を行うための各種スイッチボタン、マウス、キーボード等や、ユーザによる読み取り操作を行うための生体情報センサ等を有する。なお、入力インタフェース回路１４は、バーコード認証のためのバーコードリーダを有してもよい。また、移動型Ｘ線撮影装置１の生体情報センサとしては、カメラ及び指紋センサ等が適宜、使用可能であるが、ハンドスイッチ２０等から入力される生体情報（指紋情報）と同様の生体情報を入力したい観点から、指紋センサが好ましい。この場合、１種類の生体情報で移動型Ｘ線撮影装置１、ハンドスイッチ２０及びＸ線検出器３０のユーザの生体認証を実行できるため、生体認証の実装が容易である。また、トラックボール、キーボード、マウスは、未搭載であってもよい。入力インタフェース回路１４は、表示画面上に表示されるカーソルの座標を検出し、検出した座標を制御回路１６に出力する。なお、入力インタフェース回路１４は、表示回路１７における表示画面を覆うように設けられたタッチパネルであってもよい。この場合、入力インタフェース回路１４は、電磁誘導式、電磁歪式、感圧式等の座標読み取り原理でタッチ指示された座標を検出し、検出した座標を制御回路１６に出力する。
【００３８】
具体的には、入力インタフェース回路１４は、ユーザが所望するＸ線撮影の撮影条件、グリッドの有無等を、ユーザの指示により入力する。撮影条件とは、例えば、被検体に対する複数の撮影方向、複数の撮影部位、撮影対象に関する複数の体格などである。また、入力インタフェース回路１４は、ユーザの認証情報を含む起動指示の入力を、当該ユーザによる当該認証情報の入力操作無しで受け付ける。なお、「当該認証情報の入力操作無しで受け付ける」ことは、例えば「当該認証情報の読み取り操作により受け付ける」と読み替えてもよい。また、認証情報の読み取り操作と、起動指示の入力操作とは、生体情報センサを備えたハンドスイッチを操作する如き、実質的に同じ操作でもよい。あるいは、認証情報の読み取り操作と、起動指示の入力操作とは、例えば、バーコード情報の読み取り操作の後に、起動指示ボタンをクリックする操作などのように、互いに異なる操作でもよい。
【００３９】
通信インタフェース回路１５は、図示しないアンテナを有し、ハンドスイッチ２０及びＸ線検出器３０と無線通信するための送受信回路である。通信インタフェース回路１５は、例えば、ユーザ認証を実行したワイヤレス接続機器から機器識別情報を含むペアリング指示を受信すると、このペアリング指示を処理回路１３に送出する。なお、ペアリング指示は、ユーザ認証を実行したワイヤレス接続機器の機器種別及び機器識別情報を含んでもよい。また、通信インタフェース回路１５は、例えば、ユーザ認証を実行したワイヤレス接続機器から当該ユーザ認証に用いた参照情報に関連するユーザ識別情報を含むグループ登録指示を受信すると、このグループ登録指示を処理回路１３に送出する。また、通信インタフェース回路１５は、例えば、ユーザ認証を実行したワイヤレス接続機器から機器識別情報と、当該ユーザ認証に用いた参照情報に関連するユーザ識別情報とを含むコマンドを受信すると、このコマンドを処理回路１３に送出する。また、通信インタフェース回路１５は、例えば、Ｘ線検出器３０からＸ線画像データを受信すると、このＸ線画像データを記憶回路１２に書き込む。
【００４０】
制御回路１６は、図示しないＣＰＵ（Ｃｅｎｔｒａｌ  Ｐｒｏｃｅｓｓｉｎｇ  Ｕｎｉｔ）とメモリとを備える。なお、制御回路１６は、各種処理回路等の回路を有していてもよい。制御回路１６は、入力インタフェース回路１４から送られてくるユーザの指示、撮影条件などの情報を、図示しないメモリに一時的に記憶する。制御回路１６は、メモリに記憶されたユーザの指示、撮影条件などに従って、Ｘ線撮影を実行するために、高電圧発生回路１１、Ｘ線絞り３などを制御する。
【００４１】
表示回路１７は、入力インタフェース回路１４に入力された各種条件等を出力する。具体的には、表示回路１７は、各種条件等を表示するディスプレイ、モニタ等を有する。ディスプレイ、モニタ等は、例えば、図示しないハンドル近傍に設けられる。なお、表示回路１７は、音声を出力するスピーカを有していてもよい。また、表示回路１７は、記憶回路１２に書き込まれたＸ線画像データに基づいて、被検体ＰのＸ線画像を表示する。
【００４２】
ハンドスイッチ２０は、可搬型のスイッチであり、図５に示すように、記憶回路２１、入力インタフェース回路２２、制御回路２３、認証回路２４、通信インタフェース回路２５及びＬＥＤ（Ｌｉｇｈｔ−Ｅｍｉｔｔｉｎｇ  Ｄｉｏｄｅ）２６を備えている。
【００４３】
記憶回路２１は、図６に示す如き、ユーザ毎に、ユーザ識別情報と、当該ユーザの認証情報からなる参照情報とが関連付けられて記述されているユーザリストＬＳ１を記憶する。このユーザリストＬＳ１は、前述したユーザリストＬＳからグループ情報を省略したものである。但し、ユーザリストＬＳ１は、これに限らず、ユーザ識別情報がユーザリストＬＳ内のユーザ識別情報と共通であれば、同一ユーザの他の認証情報を参照情報に用いてもよい。記憶回路２１は、各種メモリ、ＨＤＤ（ハードディスクドライブ）、ＳＳＤ（ソリッドステートドライブ）等の大容量記憶デバイスなどにより構成される。
【００４４】
入力インタフェース回路２２は、ユーザの操作に応じて、ユーザからの各種指示及びユーザの認証情報を制御回路２３に入力する回路であり、例えば、押しボタンと生体情報センサとを一体化したボタンスイッチを有している。各種指示としては、例えば、ユーザのグループ登録指示、ペアリング指示、又はＸ線照射指示などが、適宜、使用可能となっている。なお、ユーザの生体情報としては、原理的には、顔画像、虹彩又は指紋等が適宜、使用可能であるが、押しボタンと生体情報センサとを一体化する観点から、指紋が好ましい。
【００４５】
制御回路２３は、入力インタフェース回路２２から各種指示（例、ペアリング指示、グループ登録指示）及び認証情報を受けると、認証回路２４にユーザ認証を実行させると共に、ユーザ認証が成功すると、自装置の機器識別情報と、ユーザ認証に用いた参照情報に関連するユーザ識別情報とを含む各種指示を通信インタフェース回路２５に送出する。なお、通信インタフェース回路２５に送出される各種指示は、自装置の機器種別を更に含んでもよい。また、制御回路２３は、各種指示及び認証情報に代えて、Ｘ線撮影のコマンド及び認証情報を受けた場合も同様に動作し、ユーザ認証の成功時には、自装置の機器識別情報と、ユーザ認証に用いた参照情報に関連するユーザ識別情報とを含む当該コマンドを通信インタフェース回路２５に送出する。また同様に、通信インタフェース回路２５に送出されるコマンドは、自装置の機器種別を更に含んでもよい。
【００４６】
認証回路２４は、制御回路２３から受けた認証情報と、記憶回路２１内の参照情報とを照合することにより、ユーザ認証を実行し、ユーザ認証が成功したか否かを制御回路２３に通知する。
【００４７】
通信インタフェース回路２５は、図示しないアンテナを有する送受信回路であり、制御回路２３から受けた各種指示又はコマンドを移動型Ｘ線撮影装置１に送信する。また、通信インタフェース回路２５は、移動型Ｘ線撮影装置１からペアリング完了を示す信号を受信すると、出力信号をＬＥＤ２６に出力する。
【００４８】
ＬＥＤ２６は、通信インタフェース回路２５から出力信号を受けると、可視光を出力する。
【００４９】
Ｘ線検出器３０は、可搬型の検出器であり、ＦＰＤ（Flat Panel Detector）と呼んでもよい。Ｘ線検出器３０は、図７に示すように、記憶回路３１、入力インタフェース回路３２、制御回路３３、認証回路３４、通信インタフェース回路３５、画像検出器３６及び出力回路３７を備えている。
【００５０】
記憶回路３１は、図６に示した如き、ユーザリストＬＳ１を記憶する。記憶回路３１は、各種メモリ、ＨＤＤ（ハードディスクドライブ）、ＳＳＤ（ソリッドステートドライブ）等の大容量記憶デバイスなどにより構成される。
【００５１】
入力インタフェース回路３２は、ユーザの操作に応じて、ユーザからの各種指示及びユーザの認証情報を制御回路３３に入力する回路であり、例えば、押しボタンと生体情報センサとを一体化したボタンスイッチを有している。各種指示としては、例えば、ユーザのグループ登録指示、又はペアリング指示などが、適宜、使用可能となっている。なお、ユーザの生体情報としては、顔画像、虹彩又は指紋等が適宜、使用可能であるが、この例では、ハンドスイッチ２０から入力される生体情報（指紋情報）と同様の生体情報を入力する観点から、指紋情報を用いている。
【００５２】
制御回路３３は、入力インタフェース回路２２から受けた各種指示（例、ペアリング指示、グループ登録指示）及び認証情報を受けると、認証回路２４にユーザ認証を実行させると共に、ユーザ認証が成功すると、自装置の機器識別情報と、ユーザ認証に用いた参照情報に関連するユーザ識別情報とを含む各種指示を通信インタフェース回路３５に送出する。なお、通信インタフェース回路３５に送出される各種指示は、自装置の機器種別を更に含んでもよい。また、制御回路３３は、通信インタフェース回路３５を介して移動型Ｘ線撮影装置１からペアリング完了を示す信号を受信すると、画像検出器３６を起動し、出力信号を出力回路３７に出力する。
【００５３】
認証回路３４は、制御回路３３から受けた認証情報と、記憶回路３１内の参照情報とを照合することにより、ユーザ認証を実行し、ユーザ認証が成功したか否かを制御回路３３に通知する。
【００５４】
通信インタフェース回路３５は、図示しないアンテナを有する送受信回路であり、制御回路３３から受けた各種指示を移動型Ｘ線撮影装置１に送信し、移動型Ｘ線撮影装置１から受信した信号を制御回路３３に出力する。また、通信インタフェース回路３５は、画像検出器３６から受けたＸ線画像データを移動型Ｘ線撮影装置１に送信する。
【００５５】
画像検出器３６は、Ｘ線管２から発生され、Ｘ線絞り３により限定され、被検体Ｐを透過したＸ線を検出してＸ線画像データを出力する。画像検出器３６は、複数の半導体検出素子を有する平面検出器、アナログディジタル変換器（Analog to Digital converter：以下、Ａ／Ｄ変換器と呼ぶ）、画像生成回路及び画像メモリを含む。半導体検出素子には、直接変換形と間接変換形とがある。直接変換形とは、入射Ｘ線を直接的に電気信号に変換する形式である。間接変換形とは、入射Ｘ線を蛍光体で光に変換し、その光を電気信号に変換する形式である。いずれの形式にしても、複数の半導体検出素子は、Ｘ線の入射に伴って電気信号を発生し、この電気信号をＡ／Ｄ変換器に出力する。Ａ／Ｄ変換器は、電気信号をディジタルデータに変換し、このディジタルデータを画像生成回路に出力する。画像生成回路は、このディジタルデータに基づいてＸ線画像データを生成し、このＸ線画像データを画像メモリに出力する。画像メモリ内のＸ線画像データは、通信インタフェース回路３５に出力される。
【００５６】
出力回路３７は、制御回路３３からの出力信号に応じて、ペアリング完了の有無を示すペアリング状態をＬＥＤ及びスピーカなどにより出力する。
【００５７】
次に、以上のように構成された移動型Ｘ線撮影装置の動作について図８乃至図１２のフローチャートを用いて説明する。なお、以下の説明は、認証情報が生体情報であり、ユーザ認証が生体認証である場合を例に挙げて述べる。但し、認証情報としては、ユーザによる入力操作が不要な情報であればよいので、生体情報に代えて、例えば、バーコード情報といった読み取り可能な情報を用いてもよい。また、認証情報としては、ユーザによる入力操作が必要な情報が除外されるので、例えば、パスワードやパターン描画情報が除外される。同様に、ユーザ認証としては、生体認証に代えて、例えば、バーコード情報を照合するバーコード認証を用いてもよい。また同様に、ユーザ認証としては、パスワード認証及びパターンロック認証以外の認証処理が用いられる。
【００５８】
始めに、移動型Ｘ線撮影装置１は、図８に示すように、ユーザの操作により、電源がオンされる（ステップＳＴ１０）。これにより、処理回路１３は、記憶回路１２内のプログラムを読み出して処理を実行する。始めに、処理回路１３は、ステップＳＴ２０の起動処理を実行する。すなわち、処理回路１３は、起動指示の入力をユーザに促す画面を表示回路１７に表示させる。
【００５９】
入力インタフェース回路１４は、図９に示すように、ユーザの操作により、ユーザの生体情報を含む起動指示の入力を、当該ユーザによる生体情報の入力操作無しで受け付けると（ステップＳＴ２１）、この起動指示を処理回路１３に送出する。ここでは、生体情報として指紋情報を用いている。
【００６０】
処理回路１３は、起動機能１３ａにより、入力インタフェース回路１４から受けた起動指示内の生体情報とユーザリストＬＳ内の参照情報とを照合することにより、生体認証を実行し（ステップＳＴ２２）、生体認証が成功したとき、装置本体を起動する（ステップＳＴ２３）。なお、生体認証が失敗であれば、ステップＳＴ２１に戻る。
【００６１】
装置本体の起動の後、処理回路１３は、グループ登録機能１３ｃにより、この生体認証に用いた参照情報を示すグループ情報（フラグ）を記憶回路１２に書き込む（ステップＳＴ２４）。なお、処理回路１３は、フラグを用いず、生体認証が成功したユーザに関連するユーザ識別情報及び参照情報等をコピーして得られたグループ情報を記憶回路１２に書き込んでもよい。また、ステップＳＴ２３，ＳＴ２４は、いずれを先に実行してもよい。これにより、ステップＳＴ２０の起動処理が完了する。
【００６２】
次に、処理回路１３は、ステップＳＴ３０のペアリング処理を実行する。  
例えばハンドスイッチ２０は、ユーザによる入力インタフェース回路２２の操作により、ユーザの生体情報を含むペアリング命令を受け付けたとする。このとき、ハンドスイッチ２０は、この生体情報に対する生体認証を実行し、生体認証が成功すると、グループ登録指示を移動型Ｘ線撮影装置１に送信する。
【００６３】
移動型Ｘ線撮影装置１では、図１０に示すように、生体認証を実行したハンドスイッチ２０から機器種別及び機器識別情報を含むペアリング指示が無線で送信されると、このペアリング指示を通信インタフェース回路１５により受信する（ステップＳＴ３１）。なお、機器種別は、ペアリング指示から省略してもよい。いずれにしてもステップＳＴ３１の後、ペアリング指示は、通信インタフェース回路１５から処理回路１３に送出される。
【００６４】
処理回路１３は、ペアリング機能１３ｂにより、ペアリング指示内の機器種別に基づいて、ペアリング指示内の機器識別情報を記憶回路１２内のペアリングテーブルＰＲに書き込む（ステップＳＴ３２）。しかる後、移動型Ｘ線撮影装置１は、ペアリング完了を示す信号を無線によりハンドスイッチ２０に送信する。ハンドスイッチ２０は、この信号の受信により、起動してＬＥＤ２６から可視光を出力する。以下、他の機器種別でペアリングする機器があれば、ステップＳＴ３１に戻り、無ければステップＳＴ４０に進む（ステップＳＴ３３）。この例では、Ｘ線検出器３０に関しても同様に、ステップＳＴ３１〜ＳＴ３２の処理が実行される。また、ペアリング後のペアリング完了を示す信号の送信と、Ｘ線検出器３０の起動及び出力回路３７からの可視光などの出力も同様に実行される。なお、ステップＳＴ３１でペアリング指示が機器種別を含まないとき、ステップＳＴ３３は、ペアリング処理を終了しない場合にはステップＳＴ３１に戻り、終了する場合にはステップＳＴ４０に進む処理として実行される。ここで、ペアリング処理を終了する場合としては、例えば、所定回数だけ機器識別情報を書き込んだ場合、所定時間が経過した場合、又はペアリング処理の終了指示が入力インタフェース回路１４から入力された場合などが適宜、使用可能となっている。
【００６５】
次に、移動型Ｘ線撮影装置１は、ステップＳＴ４０のグループ登録処理を実行する。  
入力インタフェース回路１４は、ユーザの操作により、ユーザの生体情報を含むグループ登録指示の入力を受け付けたとする（ステップＳＴ４１：Ｙｅｓ）。この場合、グループ登録指示は、入力インタフェース回路１４から処理回路１３に送出される。
【００６６】
処理回路１３は、グループ登録機能１３ｃにより、グループ登録指示内の生体情報と記憶回路１２内のユーザリストＬＳの参照情報とを照合することにより、ユーザの生体認証を実行する（ステップＳＴ４２）。この生体認証が成功したとき、処理回路１３は、グループ登録機能１３ｃにより、この生体認証に用いた参照情報を示すグループ情報を記憶回路１２に書き込む（ステップＳＴ４３）。例えば、生体認証に用いた参照情報に関連するグループ情報（フラグ）の値が“０”の場合には、当該グループ情報として値“１”を書き込む。これにより、ユーザのグループ登録が実行される。また、ステップＳＴ４２の生体認証が失敗したとき、ステップＳＴ４６に進む。
【００６７】
一方、ステップＳＴ４１で入力を受け付けない場合（ステップＳＴ４１：Ｎｏ）に、例えばハンドスイッチ２０（又はＸ線検出器３０）が、ユーザによる入力インタフェース回路２２の操作により、ユーザの生体情報を含むグループ登録命令を受け付けたとする。このとき、ハンドスイッチ２０（又はＸ線検出器３０）は、この生体情報に対する生体認証を実行し、生体認証が成功すると、グループ登録指示を移動型Ｘ線撮影装置１に送信する。
【００６８】
これにより、通信インタフェース回路１５は、生体認証を実行したハンドスイッチ２０（又はＸ線検出器３０）から当該生体認証に用いた参照情報に関連するユーザ識別情報を含むグループ登録指示を受信する（ステップＳＴ４４：Ｙｅｓ）。受信したグループ登録指示は、通信インタフェース回路１５から処理回路１３に送出される。
【００６９】
処理回路１３は、グループ登録機能１３ｃにより、このグループ登録指示内のユーザ識別情報に基づいて、当該ユーザ識別情報に関連する参照情報を示すグループ情報を記憶回路１２に書き込む（ステップＳＴ４５）。なお、ステップＳＴ４４で受信しない場合（ステップＳＴ４４：Ｎｏ）には、ステップＳＴ４６に進む。
【００７０】
ステップＳＴ４６では、他のユーザをグループ登録する場合にはステップＳＴ４１に戻り、否の場合にはステップＳＴ５０に進む。
【００７１】
ステップＳＴ５０では、回診のため、移動型Ｘ線撮影装置１がペアリング済みのハンドスイッチ２０及びＸ線検出器３０と共に移動される。これに加え、後でペアリングする可能性のある他のＸ線検出器（図示せず）を移動させてもよい。
【００７２】
ステップＳＴ５０の後、被検体Ｐの病室に到着し、Ｘ線撮影を行うとする。このとき、ユーザの操作により、装置の位置決めが実行される（ステップＳＴ６０）。例えば、被検体Ｐを介してＸ線管２に対向する位置にＸ線検出器３０を配置する。このとき、Ｘ線検出器３０では、出力回路３７により、ペアリング登録有りを示すペアリング状態を出力しているものとする。このような出力回路３７からの出力により、ユーザは、接続されているＸ線検出器３０を配置するものとする。あるいは、位置決めの際に、他のＸ線検出器から新たにペアリング指示を送信させてペアリングテーブルＰＲを更新してもよい。すなわち、位置決めの際に、他のＸ線検出器により、ステップＳＴ３０を再実行してもよい。
【００７３】
続いて、入力インタフェース回路１４は、ユーザの操作により、撮影条件を記憶回路１２に設定する（ステップＳＴ７０）。これにより、撮影の準備が完了する。
【００７４】
次に、移動型Ｘ線撮影装置１は、ステップＳＴ８０のコマンドのチェック処理を実行する。ハンドスイッチ２０は、ユーザによる入力インタフェース回路２２の操作により、ユーザの生体情報を含むＸ線撮影命令を受け付けると、この生体情報に対する生体認証を実行する。また、ハンドスイッチ２０は、生体認証が成功すると、Ｘ線撮影コマンドを移動型Ｘ線撮影装置１に送信する。  
通信インタフェース回路１５は、生体認証を実行したハンドスイッチ２０から機器識別情報と、当該生体認証に用いた参照情報に関連するユーザ識別情報とを含むＸ線撮影コマンドを受信したとする（ステップＳＴ８１）。受信されたＸ線撮影コマンドは、通信インタフェース回路１５から処理回路１３に送出される。
【００７５】
処理回路１３は、コマンド確認機能１３ｄにより、Ｘ線撮影コマンド内のユーザ識別情報と、記憶回路１２内のグループ情報が示す参照情報に関連するユーザ識別情報とが一致するか否かを判定する（ステップＳＴ８２）。ステップＳＴ８２の判定結果が否の場合には、Ｘ線撮影を行わず、ステップＳＴ７０の後の状態に戻る。
【００７６】
また、ステップＳＴ８２の判定結果が一致を示す場合、処理回路１３は、コマンド確認機能１３ｄにより、Ｘ線撮影コマンド内の機器識別情報が記憶回路１２内のペアリングテーブルＰＲの機器識別情報に一致するか否かを判定する（ステップＳＴ８３）。ステップＳＴ８３の判定結果が否の場合には、Ｘ線撮影を行わず、ステップＳＴ７０の後の状態に戻る。
【００７７】
また、ステップＳＴ８３の判定結果が一致を示す場合、処理回路１３は、コマンド確認機能１３ｄにより、Ｘ線撮影コマンドの実行を許可する（ステップＳＴ８４）。なお、ステップＳＴ８４は、ステップＳＴ８２，ＳＴ８３の判定結果がそれぞれ一致を示す場合に実行されるので、ステップＳＴ８２，ＳＴ８３を逆の順序で実行してもよい。また、コマンドのチェック処理は、入力インタフェース回路１４から入力されたコマンドについても実行することができる。この場合、ステップＳＴ８２，ＳＴ８３に代えて、生体情報を含むコマンドの入力を受け付けると、コマンド内の生体情報と、参照情報とを照合する生体認証と、この参照情報に関連するグループ情報の有無に基づくグループ認証との２段階の認証が実行される。
【００７８】
いずれにしてもステップＳＴ８４の後、Ｘ線撮影が実行される（ステップＳＴ９０）。
【００７９】
ステップＳＴ９０において、Ｘ線検出器３０は、Ｘ線管２から発生され、Ｘ線絞り３により限定され、被検体Ｐを透過したＸ線を検出し、得られたＸ線画像データを移動型Ｘ線撮影装置１に無線で送信する。
【００８０】
移動型Ｘ線撮影装置１は、このＸ線画像データを受信し、記憶回路１２に保存すると共に、表示回路１７に表示する。
【００８１】
上述したように一実施形態によれば、起動指示内の認証情報と第１記憶手段（記憶回路１２のユーザリストＬＳ）内の参照情報とを照合することにより、ユーザ認証を実行する。参照情報は、入力操作の不要な認証情報からなる。ユーザ認証が成功したとき、装置本体を起動する。ユーザ認証を実行したワイヤレス接続機器から機器識別情報を含むペアリング指示を受信する。ペアリング指示内の機器識別情報を第２記憶手段（記憶回路１２のペアリングテーブルＰＲ）に書き込む。
【００８２】
従って、入力操作の不要な認証情報に基づくユーザ認証により、鍵の管理やパスワードの記憶を不要にすることができる。また、ペアリングにより、ワイヤレス接続機器の不用意な操作に起因した不測の事態の発生を阻止することができる。
【００８３】
補足すると、移動型Ｘ線撮影装置１は、起動指示が入力された際に、ユーザ認証を実行し、ユーザ認証が成功すれば起動する。なお、各種指示の入力の際に、入力インタフェース回路１４は、ユーザのＩＤカード等に印刷されたバーコードを読み取るバーコードリーダを用いてもよい。この場合、ユーザ認証として、バーコード認証が実行される。
【００８４】
これに加え、移動型Ｘ線撮影装置１、ハンドスイッチ２０及びＸ線検出器３０の各々がユーザ認証を実行するので、各種指示をキーレス・パスワードレスで容易に入力することができる。この場合、ユーザ認証として、バーコード認証又は生体認証が実行される。
これに加え、認証情報が生体情報であり、ユーザ認証が生体認証の場合には、前述した様々な効果に加え、生体情報以外の認証情報（例、バーコード情報）が印刷されたＩＤカード等の管理を不要にすることができる。
これに加え、ペアリング指示が、ユーザ認証を実行したワイヤレス接続機器の機器種別及び機器識別情報を含んでいる場合には、ペアリング実行機能が、ペアリング指示内の機器種別に基づいて、ペアリング指示内の機器識別情報を第２記憶手段（記憶回路１２のペアリングテーブルＰＲ）に書き込む。この場合、第２記憶手段は、装置本体に通信可能なワイヤレス接続機器の機器種別毎に、当該書き込まれた機器識別情報を記憶する。
従って、ペアリング指示が機器種別及び機器識別情報を含む場合には、機器種別毎に機器識別情報が記憶されているか否かに基づき、他の機器種別でペアリングする機器があるか否かを判定することができる。
【００８５】
また、移動型Ｘ線撮影装置１及びハンドスイッチ２０のペアリング、並びに移動型Ｘ線撮影装置１及びＸ線検出器３０のペアリングをそれぞれ実行できるため、ワイヤレス接続機器がペアリング状態にあるか否かを容易に区別することができる。移動型Ｘ線撮影装置とワイヤレス接続機器がいくつあっても、登録済みの正当なユーザによってペアリングが実行されたワイヤレス接続機器を判別することができる。また、ワイヤレス接続機器でのユーザ認証により、ユーザリストＬＳ１に未登録の第三者が勝手にペアリング指示を入力することを阻止することができる。
【００８６】
これに伴い、複数のワイヤレス接続機器がある場合でも、意図しない状況でＸ線が照射されることを防ぐことができる。
【００８７】
また、ユーザリストＬＳには複数のユーザを登録可能であり、回診時の１人以上のユーザをグループ登録することができる。これにより、２人のユーザが病室に行った場合に、移動型Ｘ線撮影装置１を起動した第１ユーザが患者を支えていて、他の第２ユーザがＸ線撮影のためにハンドスイッチ２０を操作する場合、第２ユーザがグループ登録されていれば、Ｘ線撮影を実行することができる。
【００８８】
これに加え、一実施形態によれば、ユーザ認証を実行したワイヤレス接続機器から機器識別情報と、当該ユーザ認証に用いた参照情報に関連するユーザ識別情報とを含むコマンドを受信する。これにより、コマンド内のユーザ識別情報と、第１記憶手段内のグループ情報が示す参照情報に関連するユーザ識別情報とが一致するか否かを判定する。また、コマンド内の機器識別情報が第２記憶手段内の機器識別情報に一致するか否かを判定する。さらに、これら２段階の判定結果がそれぞれ一致を示す場合に、コマンドの実行を許可する。
【００８９】
従って、グループ登録されたユーザの操作により、ペアリング登録されたワイヤレス接続機器から送信されたコマンドであることを確認できる。よって、ユーザ以外の患者や付き添い人等といった第三者の操作に基づくコマンドを実行する事態や、ペアリング登録されていないワイヤレス接続機器から受信したコマンドを実行する事態といった不測の事態の発生を阻止することができる。また例えば、複数台の移動型Ｘ線撮影装置が互いに無線信号を受信可能な程度に近い位置でＸ線撮影を行う場合に、ワイヤレス接続機器の取り違えによる誤動作や、他方の移動型Ｘ線撮影装置に対するコマンドに基づく誤動作を防ぐことができる。例えばユーザＡ、ハンドスイッチ２０Ａ及び移動型Ｘ線撮影装置１Ａという第１の組合せと、ユーザＢ、ハンドスイッチ２０Ｂ及び移動型Ｘ線撮影装置１Ｂという第２の組合せとが同じ病室内でＸ線撮影をするとする。この場合、グループ登録がなく、ユーザ認証のみであると、ユーザＡがハンドスイッチ２０Ａ，２０Ｂを取り違えてハンドスイッチ２０Ｂを操作して、移動型Ｘ線撮影装置１ＢからＸ線が誤照射される可能性がある。
【００９０】
これに対し、一実施形態では、グループ登録とペアリング登録の２段階で認証するので、ユーザＡがハンドスイッチ２０Ｂを操作しても、移動型Ｘ線撮影装置１Ｂがグループ情報の認証でコマンドを拒否するので、Ｘ線の誤照射を阻止することができる。
【００９１】
さらに、一実施形態によれば、ユーザの認証情報を含むグループ登録指示の入力を受け付ける。このグループ登録指示内の認証情報と第１記憶手段内の参照情報とを照合することにより、ユーザ認証を実行する。このユーザ認証が成功したとき、このユーザ認証に用いた参照情報を示すグループ情報を第１記憶手段に書き込む。
【００９２】
また、ユーザ認証を実行したワイヤレス接続機器から当該ユーザ認証に用いた参照情報に関連するユーザ識別情報を含むグループ登録指示を受信する。受信されたグループ登録指示内のユーザ識別情報に基づいて、当該ユーザ識別情報に関連する参照情報を示すグループ情報を第１記憶手段に書き込む。
【００９３】
従って、このように移動型Ｘ線撮影装置１の操作によるグループ登録指示を入力する場合と、ワイヤレス接続機器の操作によるグループ登録指示を受信する場合との両方において、グループ登録を行うことができる。
【００９４】
＜変形例＞
次に、一実施形態の変形例について説明する。  
この変形例は、各ユーザが操作者、管理者又はサービスマンといった役割をもつ場合に、役割に応じた操作の権限を移動型Ｘ線撮影装置１に管理させる形態である。
【００９５】
具体的には例えば、ユーザリストＬＳは、図１３に示すように、前述したグループ情報、ユーザ識別情報及び参照情報に対し、権限情報が関連付けて記述されている。ここで、グループ情報、ユーザ識別情報及び参照情報は、前述した通りである。
【００９６】
権限情報は、ユーザの権限を示す情報であり、ユーザ毎に、操作者権限、管理者権限及びサービスマン権限のいずれかが用いられる。
【００９７】
操作者権限は、回診時のＸ線撮影業務のための操作を実行する権限である。
【００９８】
管理者権限は、操作者権限に加え、ユーザの登録や撮影プロトコルの編集などの各種設定の操作を実行する権限である。なお、管理者権限は、操作者権限を含まなくてもよい。
【００９９】
サービスマン権限は、操作者権限及び管理者権限に加え、装置本体の調整作業のための操作を実行する権限である。
【０１００】
これに伴い、処理回路１３の起動機能１３ａは、前述した機能に加え、起動指示に基づくユーザ認証が成功したとき、このユーザ認証に用いた参照情報に関連する権限情報に応じたモードで装置本体を起動する機能をもっている。
【０１０１】
他の構成は、前述した一実施形態とほぼ同様である。  
次に、以上のように構成された変形例の動作について説明する。この説明は、前述同様に、認証情報が生体情報であり、ユーザ認証が生体認証である場合を例に挙げて述べる。
いま、前述同様に、図８に示したステップＳＴ１０が実行された後、ステップＳＴ２０の起動処理が開始される。処理回路１３は、起動指示の入力をユーザに促す画面を表示回路１７に表示させる。
【０１０２】
また同様に、図１４に示すように、ステップＳＴ２１〜ＳＴ２２が実行され、生体認証が成功したとする（ステップＳＴ２２：Ｙｅｓ）。
【０１０３】
このとき、処理回路１３は、起動機能１３ａにより、この生体認証に用いた参照情報に関連付けられた権限情報をユーザリストＬＳから読み出し、この権限情報に応じたモードで装置本体を起動する（ステップＳＴ２３ａ）。例えば、権限情報が「操作者権限」を表すとき、操作モードで装置本体を起動する。また、権限情報が「管理者権限」を表すとき、管理モードで装置本体を起動する。また、権限情報が「サービスマン権限」を表すとき、サービスモードで装置本体を起動する。
【０１０４】
装置本体の起動の後、処理回路１３は、前述同様にステップＳＴ２４を実行する。また同様に、ステップＳＴ２３ａ，ＳＴ２４は、いずれを先に実行してもよい。これにより、ステップＳＴ２０の起動処理が完了する。
【０１０５】
以下、移動型Ｘ線撮影装置１は、モードに応じた処理を実行する。例えば、操作モードの場合、前述したステップＳＴ３０〜ＳＴ９０の処理を実行する。管理モードの場合、前述した操作モードの処理を実行するか、又は、ユーザの登録や撮影プロトコルの編集などの各種設定の操作に応じた処理を実行する。また、サービスモードの場合、前述した操作モード又は管理モードの処理を実行するか、又は、装置本体の調整作業のための操作に応じた処理を実行する。
【０１０６】
上述したように変形例によれば、起動指示に基づくユーザ認証が成功したとき、このユーザ認証に用いた参照情報に関連する権限情報に応じたモードで装置本体を起動する構成により、一実施形態の効果に加え、権限外の操作を防止することができる。例えば、操作者権限しかないユーザによるサービスモードでの入力を防止するため、意図しない設定変更を阻止することができる。
【０１０７】
上記説明において用いた「プロセッサ」という文言は、例えば、CPU（Central Processing Unit）、GPU(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【０１０８】
一実施形態におけるユーザリストＬＳ及び記憶回路１２は、特許請求の範囲における第１記憶手段の一例である。一実施形態における入力インタフェース回路１４は、特許請求の範囲における第１受付手段及び第２受付手段の一例である。一実施形態における起動機能１３ａ及び処理回路１３は、特許請求の範囲における第１認証手段及び起動手段の一例である。一実施形態におけるペアリングテーブルＰＲ及び記憶回路１２は、特許請求の範囲における第２記憶手段の一例である。一実施形態における通信インタフェース回路１５は、特許請求の範囲における第１受信手段、第２受信手段及び第３受信手段の一例である。一実施形態におけるペアリング機能１３ｂ及び処理回路１３は、特許請求の範囲におけるペアリング実行手段の一例である。一実施形態におけるグループ登録機能１３ｃ及び処理回路１３は、特許請求の範囲における第１登録手段、第２認証手段、第２登録手段及び第３登録手段の一例である。一実施形態におけるコマンド確認機能１３ｄ及び処理回路１３は、特許請求の範囲における第１判定手段、第２判定手段及び許可手段の一例である。
【０１０９】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１１０】
１…移動型Ｘ線撮影装置、２…Ｘ線管、３…Ｘ線絞り、４…支持アーム、５…支柱、６…筐体、７…前輪、８…後輪、１１…高電圧発生回路、１２，２１，３１…記憶回路、１３…処理回路、１３ａ…起動機能、１３ｂ…ペアリング機能、１３ｃ…グループ登録機能、１３ｄ…コマンド確認機能、１４，２２，３２…入力インタフェース回路、１５，２５，３５…通信インタフェース回路、１６，２３，３３…制御回路、１７…表示回路、２０…ハンドスイッチ、２４，３４…認証回路、２６…ＬＥＤ、３０…Ｘ線検出器、３６…画像検出器、３７…出力回路、ＬＳ，ＬＳ１…ユーザリスト、ＰＲ…ペアリングテーブル。
【図１】
2018099444.tif 000003
【図２】
2018099444.tif 000004
【図３】
2018099444.tif 000005
【図４】
2018099444.tif 000006
【図５】
2018099444.tif 000007
【図６】
2018099444.tif 000008
【図７】
2018099444.tif 000009
【図８】
2018099444.tif 000010
【図９】
2018099444.tif 000011
【図１０】
2018099444.tif 000012
【図１１】
2018099444.tif 000013
【図１２】
2018099444.tif 000014
【図１３】
2018099444.tif 000015
【図１４】
2018099444.tif 000016